(57)【特許請求の範囲】
【請求項１】
縦框部材に枢着機構により開閉自在に取り付けられた戸の開き限度を規制する金具において、上部の横框部材に支点軸を垂設し、支点軸に上部の横框部材の下面と上記戸の上面との間に位置して規制部材の基部側を旋回自在に枢着すると共に該規制部材の先端部側に規制案内部を形成し、戸の上面に該規制案内部に嵌合可能な係止部材を配設してなり、上記規制部材の先端部側に上記戸の開き限度位置により定められた長さの摺動長穴からなる規制案内部を形成し、該戸の上面に該規制案内部としての摺動長穴に摺動嵌合可能にして戸の開き限度位置において規制案内部としての摺動長穴の外方端部に当接可能な軸状の係止部材を立設し、該軸状の係止部材の上部に円盤状の頭部を形成すると共に中程部に該頭部から該規制部材の板厚より長い長さの軸部を形成するための鍔部を形成し、該軸部を該規制部材の摺動長穴に摺動自在に挿通し、かつ、該規制部材の摺動長穴に合成樹脂製の滑動部材を設け、更に、上記戸の開閉の中心から戸閉状態の戸の芯線までの距離を半径とする円の接線を戸開状態の戸の芯線とする線と戸閉状態の戸の芯線との交点位置に上記支点軸を配置し、上記規制部材を上記戸及び上部の横框部材の厚さよりも幅狭に形成してなることを特徴とする戸当り金具。
【請求項２】
上記係止部材の上記戸の上面に対しての配設位置を可変自在に設けてなることを特徴とする請求項１記載の戸当り金具。
【発明の詳細な説明】
【０００１】
【発明の属する技術分野】
本発明は例えば開き戸の開き限度を規制して戸の開き過ぎを防ぐ戸当り金具に関するものである。
【０００２】
【従来の技術】
従来、この種の戸当り金具して、框の上部に取付可能な支持部材の先端部に戸の開き側の面板に当接可能なゴム等の緩衝部材を配設してなる構造のものが知られている。
【０００３】
しかして、框の上部に支持部材を戸の開き側に突出する状態に取付け、戸を開いたとき、突出する支持部材の先端部の緩衝部材に戸の開き側の面板が当接し、これにより戸の開き過ぎを防ぐように構成している。
【０００４】
【発明が解決しようとする課題】
しかしながら上記従来構造の場合、上記支持部材は戸の開き側に突設されているため、支持部材が戸の上部に常に露呈することになり、それだけ戸の近傍の外観を損なうことがあるという不都合を有している。
【０００５】
【課題を解決するための手段】
本発明はこれらの不都合を解決することを目的とするもので、本発明のうちで、請求項１記載の発明は、縦框部材に枢着機構により開閉自在に取り付けられた戸の開き限度を規制する金具において、上部の横框部材に支点軸を垂設し、支点軸に上部の横框部材の下面と上記戸の上面との間に位置して規制部材の基部側を旋回自在に枢着すると共に該規制部材の先端部側に規制案内部を形成し、戸の上面に該規制案内部に嵌合可能な係止部材を配設してなり、上記規制部材の先端部側に上記戸の開き限度位置により定められた長さの摺動長穴からなる規制案内部を形成し、該戸の上面に該規制案内部としての摺動長穴に摺動嵌合可能にして戸の開き限度位置において規制案内部としての摺動長穴の外方端部に当接可能な軸状の係止部材を立設し、該軸状の係止部材の上部に円盤状の頭部を形成すると共に中程部に該頭部から該規制部材の板厚より長い長さの軸部を形成するための鍔部を形成し、該軸部を該規制部材の摺動長穴に摺動自在に挿通し、かつ、該規制部材の摺動長穴に合成樹脂製の滑動部材を設け、更に、上記戸の開閉の中心から戸閉状態の戸の芯線までの距離を半径とする円の接線を戸開状態の戸の芯線とする線と戸閉状態の戸の芯線との交点位置に上記支点軸を配置し、上記規制部材を上記戸及び上部の横框部材の厚さよりも幅狭に形成してなることを特徴とする戸当り金具にある。
【０００６】
又、請求項２記載の発明にあっては、上記係止部材の上記戸の上面に対しての配設位置を可変自在に設けてなることを特徴とするものである。
【０００７】
【発明の実施の形態】
図１乃至図９は本発明の実施の形態例を示し、図１乃至図８は第一形態例、図９は第二形態例である。
【０００８】
図１乃至図８の第一形態例において、Ｍは框部材であって、この框部材Ｍは上部の横框部材Ｍ1及び左右の縦框部材Ｍ2・Ｍ3からなり、この一方の縦框部材Ｍ2に枢着機構としての蝶番Ｆ・Ｆにより戸Ｄを開閉自在に取り付けている。
【０００９】
１は支点軸であって、この場合、ボルト状に形成され、上部の横框部材Ｍ1にナット２及び座金３により垂下状態に取付け固定されている。
【００１０】
４は規制部材であって、この場合、ステンレス製の長方形板状に形成され、規制部材４の基部側に支点穴５を形成し、支点軸１に支点穴５を挿通し、横框部材Ｍ1の下面と上記戸Ｄの上面との間に位置して、規制部材５の基部側を旋回自在に枢着して構成している。
【００１１】
６は規制案内部であって、上記規制部材４の先端部側に形成され、上記戸Ｄの開き限度位置により定められた長さＫの摺動長穴６ａに形成され、規制部材４の表裏面に合成樹脂製の滑動部材４ａを配設して構成している。
【００１２】
７は係止部材であって、上記戸Ｄの上面に上記規制案内部６に嵌合可能に形成され、この場合、戸Ｄの開き限度位置において摺動長穴６ａの外方端部６ｂに当接可能な軸状に形成され、下部に木ねじ状の螺子部７ａを形成し、螺子部７ａの螺着又は取り外しにより係止部材７の戸Ｄの上面に対しての取付位置を変更可能に形成すると共に上部に円盤状の頭部７ｂを形成すると共に中程部に頭部７ｂから規制部材４の板厚より長い長さＧの軸部７ｃを形成するための鍔部７ｄを形成し、軸部４ｃを規制部材４の摺動長穴４ａに摺動自在に挿通し、この係止部材７を戸Ｄの上面に螺着して立設している。
【００１３】
この場合、図７の如く、戸Ｄの開き限度を約９０度にしているので、上記蝶番Ｆ・Ｆの枢軸位置として戸Ｄの開閉の中心Ｏから戸閉状態の戸Ｄの芯線Ｌまでの距離Ｒを半径とする円Ｃの接線Ｔを戸開状態の戸Ｄの芯線Ｓとする線Ｑと戸閉状態の戸Ｄの芯線Ｌとの交点位置Ｐに上記支点軸１を配置している。尚、戸Ｄの開き限度をさらに大きくする場合には、図８の如く、上記同様にして交点位置Ｐを求め、交点位置Ｐに上記支点軸１を配置すると共に摺動長穴６ａの長さＫを定めることになる。
【００１４】
又、この場合、上記規制部材４を上記戸Ｄ及び上部の横框部材Ｍ1の厚さＥよりも幅狭の幅Ｂに形成している。
【００１５】
この実施の第一形態例は上記構成であるから、上部の横框部材Ｍ1に垂設した支点軸１に上部の横框部材Ｍ1の下面と上記戸Ｄの上面との間に位置して規制部材４の基部側を旋回自在に枢着すると共に規制部材４の先端部側に規制案内部６を形成し、戸Ｄの上面に規制案内部６に嵌合可能な係止部材７を配設しているから、図１乃至図３の戸閉状態において、戸Ｄを蝶番Ｆ・Ｆにより開き動作させると、図４、図５の如く、戸Ｄ側の係止部材７が規制案内部６に嵌合しているので、戸Ｄの回動により蝶番Ｆ・Ｆを中心として回動する係止部材７が規制案内部６に案内されつつ規制部材４は支点軸１を中心として回動することになり、回動限度位置において、図４、図５の如く、係止部材７の回動は規制案内部６により規制され、戸Ｄの開き過ぎを防ぐことができ、かつ、支点軸１及び規制部材４、係止部材７からなる構成部材は上部の横框部材Ｍ1の下面と上記戸Ｄの上面との間に位置して配置されているので、これら構成部材１・４・７の戸Ｄの外部への露呈を可及的に防ぐことができ、それだけ戸Ｄの近傍の外観を損なうことがなくなる。
【００１６】
又、この場合、規制部材４の先端部側に戸Ｄの開き限度位置により定められた長さの摺動長穴６ａからなる規制案内部６を形成し、戸Ｄの上面に規制案内部６としての摺動長穴６ａに摺動嵌合可能にして戸の開き限度位置において規制案内部としての摺動長穴６ａの外方端部６ｂに当接可能な軸状の係止部材７を立設し、該軸状の係止部材７の上部に円盤状の頭部７ｂを形成すると共に中程部に頭部７ｂから規制部材４の板厚より長い長さＧの軸部７ｃを形成するための鍔部７ｄを形成し、軸部７ｃ該規制部材４の摺動長穴６ａに摺動自在に挿通し、かつ、規制部材４の摺動長穴６ａに合成樹脂製の滑動部材４ａを設けているから、戸Ｄの回動により蝶番Ｆを中心として回動する係止部材７の軸部７ｃが摺動長穴６ａに案内されつつ規制部材４は支点軸１を中心として回動することになり、回動限度位置において、図４、図５の如く、係止部材７の回動は係止部材７の軸部７ｃが摺動長穴６ａの端部６ｂ当接して規制され、戸Ｄの開き過ぎを防ぐことができ、構造を簡素化することができ、製作コストの低減を図ることができる。
【００１７】
又、この場合、上記戸Ｄの開閉の中心Ｏから戸閉状態の戸Ｄの芯線Ｌまでの距離Ｒを半径とする円Ｃの接線Ｔを戸開状態の戸Ｄの芯線Ｓとする線Ｑと戸閉状態の戸Ｄの芯線Ｌとの交点位置Ｐに上記支点軸１を配置しているから、上記戸Ｄの戸開状態及び戸閉状態のいずれの状態においても、規制部材４を戸の上面の上方に位置させることができ、一層構成部材の外部への露呈を防ぐことができ、又、この場合、上記規制部材４を上記戸Ｄ及び上部の横框部材Ｍ1の厚さＥよりも幅狭に形成しているから、下方から戸Ｄの上方を見上げたときの規制部材４の戸Ｄからの露呈を無くすことができ、戸Ｄの近傍の外観を損なうことを防止することができ、又、この場合、上記係止部材７の上記戸Ｄの上面に対しての配設位置を可変自在に設けてなるから、戸Ｄの上面に対しての取付位置を変更することにより戸Ｄの開き限度位置を変更することもできる。
【００１８】
図９の第二形態例は別例構造を示し、この場合、上記蝶番Ｆとして例えば特許第２６８９０９１号に示された所謂グラビテイヒンジと称される蝶番を用いて戸Ｄの開閉をなす構造に適用したもので、この種の蝶番の場合、戸Ｄの開閉に伴ってＤが上下運動するため、この戸Ｄの上下運動により支点軸１の近傍を中心として規制部材４を傾動させるべく、支点穴５の大きさや支点軸１の軸部の長さ並びに係止部材７の中程部の軸部７ｃの長さＧを規制部材４の板厚より更に長く形成して構成したものである。
【００１９】
この第二形態例にあっては、所謂グラビテイヒンジと称される蝶番を用いて戸Ｄの開閉をなす構造においても、本発明を適用することができ、上記第一形態例と同様な作用効果を得ることができる。
【００２０】
尚、本発明は上記実施の形態例に限られるものではなく、支点軸１、規制部材４、規制案内部６の構造は適宜変更して設計され、例えば、上記実施例においては規制部材４と規制案内部６との嵌合構造を摺動長穴６ａと軸部６ｂとの摺動嵌合によりなしているが、長溝と摺動軸との嵌合構造や二本のレールと対向するレール間に嵌合する摺動部材との嵌合構造、その他の嵌合構造を用いることもでき、又、蝶番Ｆを用いない吊下構造等の他の枢着機構により開閉する戸に適用することもできる。
【００２１】
【発明の効果】
本発明は上述の如く、請求項１記載の発明にあっては、上部の横框部材に垂設した支点軸に上部の横框部材の下面と戸の上面との間に位置して規制部材の基部側を旋回自在に枢着すると共に規制部材の先端部側に規制案内部を形成し、戸の上面に規制案内部に嵌合可能な係止部材を配設しているから、戸閉状態において、戸を枢着機構により開き動作させると、戸側の係止部材が規制案内部に嵌合しているので、戸の回動により枢着機構を中心として回動する係止部材が規制案内部に案内されつつ規制部材は支点軸を中心として回動することになり、回動限度位置において、係止部材の回動は規制案内部により規制され、戸の開き過ぎを防ぐことができ、かつ、支点軸及び規制部材、係止部材からなる構成部材は上部の横框部材の下面と上記戸の上面との間に位置して配置されているので、これら構成部材の戸の外部への露呈を可及的に防ぐことができ、それだけ戸の近傍の外観を損なうことがなくなり、かつ、上記規制部材の先端部側に戸の開き限度位置により定められた長さの摺動長穴からなる規制案内部を形成し、戸の上面に規制案内部としての摺動長穴に摺動嵌合可能にして戸の開き限度位置において規制案内部としての摺動長穴の外方端部に当接可能な軸状の係止部材を立設し、該軸状の係止部材の上部に円盤状の頭部を形成すると共に中程部に頭部から規制部材の板厚より長い長さの軸部を形成するための鍔部を形成し、軸部を該規制部材の摺動長穴に摺動自在に挿通し、かつ、規制部材の摺動長穴に合成樹脂製の滑動部材を設けているから、戸の回動により枢着機構を中心として回動する係止部材が摺動長穴に案内されつつ規制部材は支点軸を中心として回動することになり、回動限度位置において、係止部材の回動は係止部材が摺動長穴の端部当接して規制され、戸の開き過ぎを防ぐことができ、構造を簡素化することができ、製作コストの低減を図ることができ、更に、上記戸の開閉の中心から戸閉状態の戸の芯線までの距離を半径とする円の接線を戸開状態の戸の芯線とする線と戸閉状態の戸の芯線との交点位置に上記支点軸を配置しているから、上記戸の戸開状態及び戸閉状態のいずれの状態においても、規制部材を戸の上面の上方に位置させることができ、一層構成部材の外部への露呈を防ぐことができ、上記規制部材を上記戸及び上部の横框部材の厚さよりも幅狭に形成しているから、下方から戸の上方を見上げたときの規制部材の戸からの露呈を無くすことができ、戸の近傍の外観を損なうことを防止することができる。
【００２２】
又、請求項２記載の発明にあっては、上記係止部材の上記戸の上面に対しての配設位置を可変自在に設けてなるから、戸の上面に対しての取付位置を変更することにより戸の開き限度位置を変更することもできる。
【００２３】
以上、初期の目的を充分達成することができる。
【図面の簡単な説明】
【図１】本発明の実施の第一形態例の戸閉状態の切欠斜視図である。
【図２】本発明の実施の第一形態例の戸閉状態の平断面図である。
【図３】本発明の実施の第一形態例の戸閉状態の縦断面図である。
【図４】本発明の実施の第一形態例の戸開状態の切欠斜視図である。。
【図５】本発明の実施の第一形態例の戸開状態の平断面図である。
【図６】本発明の実施の第一形態例の正面図である。
【図７】本発明の実施の第一形態例の説明平面図である。
【図８】本発明の実施の第一形態例の説明平面図である。
【図９】本発明の実施の第二形態例の戸閉状態の縦断面図である。
【符号の説明】
Ｍ  框
Ｍ1  上部の横框部材
Ｄ  戸
Ｆ  枢着機構
Ｇ  長さ
１  支点軸
４  規制部材
４ａ  滑動部材
６  規制案内部
６ａ  摺動長穴
７  係止部材
７ｂ  頭部
７ｃ  軸部
７ｄ  鍔部
【図１】
0003570238.tif 000002
【図２】
0003570238.tif 000003
【図３】
0003570238.tif 000004
【図４】
0003570238.tif 000005
【図５】
0003570238.tif 000006
【図６】
0003570238.tif 000007
【図７】
0003570238.tif 000008
【図８】
0003570238.tif 000009
【図９】
0003570238.tif 000010